(57)【要約】【課題】  移動体通信ネットワークの外部にある情報通信端末との間でセキュアな環境を構築しつつ汎用性を高めて利便性を向上させることでき、しかも移動体通信ネットワークでメッセージ配信を行う配信サーバに関する拡張性に優れたメッセージングシステムを提供する。【解決手段】  中間サーバ２０は、インターネットでのメッセージ配信に使用される汎用プロトコルを用いて情報通信端末５０と通信を行い、情報通信端末５０から配信対象のメッセージを配信先の端末識別情報とともに受信し、端末識別情報を宛先として配信対象のメッセージを配信サーバ３０，３５に転送する。配信サーバ３０，３５は、中間サーバ２０から受信した配信対象のメッセージを端末識別情報で特定される移動体通信端末６０に対して配信する。【選択図】  図１
2008113142.tif 000002
【特許請求の範囲】
【請求項１】
移動体通信ネットワークの外部にある情報通信端末から、前記移動体通信ネットワーク上の移動体通信端末の端末識別情報を宛先としてメッセージングを送信するためのメッセージングシステムであって、
通信回線を介して前記情報通信端末から配信対象のメッセージを受け付ける中間サーバと、移動体通信ネットワーク上の移動体通信端末の端末識別情報を宛先とするメッセージングサービスによるメッセージングの配信を行う配信サーバと、を備え、
前記中間サーバは、インターネットでのメッセージ配信に使用される汎用プロトコルによって配信対象のメッセージを配信先の端末識別情報とともに受信し、前記端末識別情報を宛先として前記配信対象のメッセージを前記配信サーバに転送し、
前記配信サーバは、前記中間サーバから受信した前記配信対象のメッセージを前記端末識別情報で特定される移動体通信端末に対して配信する、
ことを特徴とするメッセージシステム。
【請求項２】
請求項１のメッセージングシステムにおいて、
移動体通信端末の複数種類の世代ごとに前記配信サーバを複数備え、
前記中間サーバは、前記メッセージを配信先の端末識別情報に基づいて宛先の移動体通信端末の世代を判断し、その世代に対応する配信サーバに前記配信対象のメッセージを転送することを特徴とするメッセージングシステム。
【請求項３】
請求項１又は２のメッセージングシステムにおいて、
前記移動体通信ネットワーク上で前記情報通信端末を一意に特定するための情報として、前記メッセージングサービスにおける宛先として使用可能な端末識別情報が設定されていることを特徴とするメッセージシステム。
【請求項４】
請求項３のメッセージングシステムにおいて、
前記配信サーバは、前記メッセージを受信した移動体通信端末から送信されてくる配信確認情報を、前記中間サーバに転送し、
前記中間サーバは、前記配信サーバから受信した配信確認情報を前記メッセージの送信元である情報通信端末に送信することを特徴とするメッセージングシステム。
【請求項５】
請求項３のメッセージングシステムにおいて、
前記中間サーバは、前記メッセージの配信先である移動体通信端末の現在位置の位置情報を取得し、その位置情報を前記メッセージの送信元である情報通信端末に送信することを特徴とするメッセージングシステム。
【発明の詳細な説明】
【技術分野】
【０００１】
本発明は、移動体通信ネットワークの外部にある情報通信端末から、移動体通信ネットワーク上の移動体通信端末の端末識別情報を宛先として、その移動体通信端末にメッセージングを送信するためのメッセージングシステムに関するものである。
【背景技術】
【０００２】
従来、この種のメッセージングシステムとして、企業等にあるコンピュータ装置（情報通信端末）から、携帯電話機（移動体通信端末）の電話番号（端末識別情報）を宛先として、ＳＭＳ（ショート・メッセージ・サービス）のメッセージを送信するシステムが知られている。
【発明の開示】
【発明が解決しようとする課題】
【０００３】
しかしながら、上記従来のメッセージングシステムでは、企業等にあるコンピュータ装置が、ＳＭＳメッセージの配信を行う配信サーバに専用回線を介して接続され、セキュアな環境になっていないという問題点がある。更に、上記配信サーバとコンピュータ装置との通信には、特殊な通信プロトコルであるＳＭＰＰ（Short Message Peer-to-Peer）プロトコルが使用されているため、コンピュータ装置側に専用の通信インターフェースのハードウェアやソフトウェアを用意する必要があり利便性に欠けるという問題点がある。また、従来のメッセージングシステムでは、コンピュータ装置がＳＭＳメッセージの配信サーバに直付けされた構成になっているため、配信サーバを複数設けることが難しく拡張性が悪いという問題点がある。
【０００４】
本発明は以上の問題点に鑑みなされたものであり、その目的は、移動体通信ネットワークの外部にある情報通信端末との間でセキュアな環境を構築しつつ汎用性を高めて利便性を向上させることでき、しかも移動体通信ネットワークでメッセージ配信を行う配信サーバに関する拡張性に優れたメッセージングシステムを提供することである。
【課題を解決するための手段】
【０００５】
上記目的を達成するために、請求項１の発明は、移動体通信ネットワークの外部にある情報通信端末から、前記移動体通信ネットワーク上の移動体通信端末の端末識別情報を宛先として、その移動体通信端末にメッセージングを送信するためのメッセージングシステムであって、通信回線を介して前記情報通信端末から配信対象のメッセージを受け付ける中間サーバと、移動体通信ネットワーク上の移動体通信端末の端末識別情報を宛先とするメッセージングサービスによるメッセージングの配信を行う配信サーバと、を備え、前記中間サーバは、インターネットでのメッセージ配信に使用される汎用プロトコルを用いて前記情報通信端末と通信を行い、前記情報通信端末から配信対象のメッセージを配信先の端末識別情報とともに受信し、前記端末識別情報を宛先として前記配信対象のメッセージを前記配信サーバに転送し、前記配信サーバは、前記中間サーバから受信した前記配信対象のメッセージを前記端末識別情報で特定される移動体通信端末に対して配信する、ことを特徴とするものである。
このメッセージングシステムでは、移動体通信ネットワーク上の移動体通信端末の端末識別情報を宛先とするメッセージングサービスにおけるメッセージングの配信を行う配信サーバと、移動体通信ネットワークの外部にある情報通信端末との間に、中間サーバが介在するので、情報通信端末との間でセキュアな環境を構築できる。また、インターネットでのメッセージ配信に使用される汎用プロトコルを用いて情報通信端末と通信を行っているので、情報通信端末との通信の汎用性が高まり、情報通信端末側に専用の通信インターフェースのハードウェアやソフトウェアを用意する必要がなく利便性が向上する。しかも、複数の配信サーバを設けた場合でも、中間サーバによって適切な配信サーバを選択して情報通信端末から受信したメッセージを転送できるようになり、配信サーバに関する拡張性に優れる。
【０００６】
また、請求項２の発明は、請求項１のメッセージングシステムにおいて、移動体通信端末の複数種類の世代ごとに前記配信サーバを複数備え、前記中間サーバは、前記メッセージを配信先の端末識別情報に基づいて宛先の移動体通信端末の世代を判断し、その世代に対応する配信サーバに前記配信対象のメッセージを転送することを特徴とするものである。
また、請求項３の発明は、請求項１又は２のメッセージングシステムにおいて、前記移動体通信ネットワーク上で前記情報通信端末を一意に特定するための情報として、前記メッセージングサービスにおける宛先として使用可能な端末識別情報が設定されていることを特徴とするものである。
また、請求項４の発明は、請求項３のメッセージングシステムにおいて、前記配信サーバは、前記メッセージを受信した移動体通信端末から送信されてくる配信確認情報を、前記中間サーバに転送し、前記中間サーバは、前記配信サーバから受信した配信確認情報を前記メッセージの送信元である情報通信端末に送信することを特徴とするものである。なお、前記中間サーバは、配信確認情報を配信サーバから受けたとき、その配信確認情報を情報通信端末に即時通知するように送信してもいいし、配信サーバから受けた配信確認情報を一旦保存し、情報通信端末からの取得要求があったときに取得応答に付加して配信確認情報を情報通信端末に送信してもよい。
また、請求項５の発明は、請求項３のメッセージングシステムにおいて、前記中間サーバは、前記メッセージの配信先である移動体通信端末の現在位置の位置情報を取得し、その位置情報を前記メッセージの送信元である情報通信端末に送信することを特徴とするものである。なお、前記中間サーバは、移動体通信端末の現在位置の位置情報を配信サーバから受けたとき、その位置情報を情報通信端末に即時通知するように送信してもいいし、配信サーバから受けた位置情報を一旦保存し、情報通信端末からの取得要求があったときに、その取得応答に付加して位置情報を情報通信端末に送信してもよい。
【発明の効果】
【０００７】
本発明によれば、移動体通信ネットワークの外部にある情報通信端末との間でセキュアな環境を構築しつつ汎用性を高めて利便性を向上させることでき、しかも移動体通信ネットワークでメッセージ配信を行う配信サーバに関する拡張性に優れるという効果がある。
【発明を実施するための最良の形態】
【０００８】
以下、本発明をコンピュータ装置（情報通信端末）から携帯電話機（移動体通信端末）にメッセージを配信するメッセージングシステムに適用した実施形態について説明する。
図１は本実施形態に係るメッセージングシステムの全体構成の一例を示す説明図である。このメッセージングシステムは、携帯電話通信網（移動体通信ネットワーク）１０に設けられたメッセージ配信管理サーバである中間サーバ２０と複数の配信サーバ３０，３５とを用いて構成されている。
上記中間サーバ２０は、専用回線４０やインターネット４１等の通信回線やルータ４２などを介して、企業５００等で使用されているコンピュータ装置５０から配信対象のメッセージを受け付ける。インターネット４１を経由する経路における中間サーバ２０とルータ４２との間には、ファイヤーウォール４３が設けられている。中間サーバ２０とコンピュータ装置５０との間のアプリケーション層の通信プロトコルとしては、インターネットでのメッセージ配信に使用される汎用プロトコルであるＨＴＴＰ（HyperText Transfer Protocol）又はＳＭＴＰ（Simple Mail Transfer Protocol）が用いられる。
【０００９】
上記配信サーバ３０，３５はそれぞれ、携帯電話通信網１０上の携帯電話機６０の電話番号（端末識別情報）を宛先とするメッセージングサービスによるメッセージングの配信を行う。このメッセージングサービスとしては、所定サイズのテキストのメッセージを送信できるＳＭＳ（ショート・メッセージ・サービス）や、テキストのほか画像ファイル等を添付して送信できるＭＭＳ（マルチメディア・メッセージ・サービス）がある。上記複数の配信サーバのうち、配信サーバ３０は第２世代（第２．５世代を含む）の携帯電話機用のメッセージ配信サーバであり、また、配信サーバ３５は、第３世代の携帯電話機用のメッセージ配信サーバである。各配信サーバ３０，３５から配信されたメッセージは、図示しない交換機など経由して基地局１１０から各携帯電話機６０に送信される。上記メッセージングシステムでは、企業等にあるコンピュータ装置５０から、特定の１台の携帯電話機６０にＳＭＳ等のメッセージを配信したり、企業の従業員６００のグループ等で使用されている複数台の携帯電話機６０に対してＳＭＳ等のメッセージを一斉に配信したりすることができる。
【００１０】
上記中間サーバ２０は、１台のコンピュータ装置で構成してもいいし、複数のコンピュータ装置をネットワーク接続して協働して動作するように構成してもよい。上記配信サーバ３０、３５についても同様である。
【００１１】
図２は、上記中間サーバ２０の機能的な構成の一例を示すブロック図である。この中間サーバ２０は、例えば、ＣＰＵ，ＲＡＭ，ＲＯＭ等からなるコンピュータで構成され、所定のプログラムが読み込まれて実行されることにより、各種データ処理や制御を行うことができる。中間サーバ２０は、機能的構成として、ＬＤＡＰ（Lightweight Directory Access Protocol）インターフェース部２０１、ＳＭＴＰインターフェース部２０２と、ＨＴＴＰインターフェース部２０３と、アカウント管理部２０４と、ジョブ制御部２０５と、ＳＭＰＰ（Short Message Peer-to-Peer）インターフェース部２０６とを有する。
【００１２】
上記ＬＤＡＰインターフェース部２０１は、携帯電話機６０の電話番号（端末識別情報）に基づいて加入者情報管理サーバ２５を参照し、その携帯電話機６０の世代情報を取得する。
【００１３】
上記ＳＭＴＰインターフェース部２０２は、クライアント（メッセージ送信元のユーザ）のコンピュータ装置５０からＳＭＴＰコマンドで受け付けた送信メッセージを、ＳＭＰＰ形式に変換した後、後段のＳＭＰＰインターフェース部２０６に変換後のメッセージを転送する。また、ＳＭＴＰインターフェース部２０２は、ＳＭＰＰインターフェース部２０６から転送されてきたＳＭＰＰ形式の配信確認レシートを、ＳＭＴＰ形式に変換してクライアントのコンピュータ装置５０に送信する。また、ＳＭＴＰインターフェース部２０２は、ユーザアカウントごとに、単位時間当りの送信メッセージ上限数の制御を行う。
【００１４】
上記ＨＴＴＰインターフェース部２０３は、クライアントのコンピュータ装置５０からのＨＴＴＰリクエストを受け付ける。また、ＨＴＴＰインターフェース部２０３は、ユーザアカウント管理及びジョブ制御機能に対するユーザインターフェースを提供する。このＨＴＴＰインターフェース部２０３とクライアントのコンピュータ装置５０との間のＨＴＴＰ通信には、セキュリティを確保するために、データを暗号化して送るＳＳＬ（Secure Socket Layer）のプロトコルが用いられる。
【００１５】
上記アカウント管理部２０４は、ユーザアカウントによるシステムへのアクセス制御、およびアカウントの編集機能を提供する。
【００１６】
上記ジョブ制御部２０５は、ＨＴＴＰインターフェース部２０３から受け付けた送信ジョブのスケジューリング、ユーザ要求による送信ジョブの停止及び再開の制御、並びに、ユーザアカウントごとに、単位時間当りの送信メッセージの上限数の制御を行う。
【００１７】
上記ＳＭＰＰインターフェース部２０６は、各配信サーバ（ＳＭＳＣ）３０，３５と接続し、メッセージ送受信の管理を行う。また、このＳＭＰＰインターフェース部２０６は、携帯電話機の世代ごとに設けられた複数の配信サーバそれぞれに対応させて、複数の個別ＳＭＰＰインターフェース部が設けられている。具体的には、２Ｇ携帯電話機用の配信サーバ（２Ｇ  ＳＭＳＣ）３０に対応する２Ｇ向けＳＭＰＰインターフェース部２０６ａと、３Ｇ携帯電話機用の配信サーバ（３Ｇ  ＳＭＳＣ）に対応する３Ｇ向けＳＭＰＰインターフェース部２０６ｂを備えている。
【００１８】
上記配信サーバ３０、３５はそれぞれ、携帯電話機６０の電話番号（端末識別情報）をあて名として、文字数の上限が数十文字程度に制限された比較的短いＳＭＳ（Short Message Service）のメッセージを配信するサーバであり、ＳＭＳＣ（Short Message Service Center）とも呼ばれている。各配信サーバ３０、３５は、最大で５個まで連結されたＳＭＳメッセージを配信することができる。
【００１９】
図３は、上記構成のメッセージングシステムにおいて、例えば企業のオフィスに設置されたコンピュータ装置としてのパソコン装置（以下「ＰＣ装置」という。）５０から携帯電話機６０に対してＳＭＳメッセージを配信するときのシーケンス図である。送信先の携帯電話機６０は、例えば、上記企業が通信事業者と契約している携帯電話機や、企業の従業員の個人契約の携帯電話機である。
【００２０】
まず、企業のオフィスに設置されたクライントのＰＣ装置５０において、所定のＷＥＢブラウザ又はＳＭＴＰクライアント（ＳＭＳ用メーラ）のアプリケーションソフトを起動する。ここで、ＷＥＢブラウザを使用する場合は、上記中間サーバ２０に予め設定されているＵＲＬのＷＥＢサイトにアクセスし、所定のユーザＩＤ及びパスワードを入力する。また、ＳＭＴＰクライアント（ＳＭＳ用メーラ）を使用する場合は、ＳＭＴＰサーバのアドレスとして、上記中間サーバ２０に割り当てられているＵＲＬを設定し、所定のユーザアカウント及びパスワードを設定しておく。
【００２１】
次に、上記所定のアプリケーションソフトのメッセージ作成画面で、送信対象のメッセージを入力するとともに送信先を指定する。送信先の指定は、送信先の携帯電話機の電話番号で直接指定してもいいし、利用者名と電話番号とが少なくとも登録されているアドレス帳がある場合は利用者名で指定してもよい。これらの入力が終了したら、利用者は、所定の送信ボタンのクリックなどの送信操作を行う。すると、ＰＣ装置５０で入力されたメッセージが、送信先情報とともに、専用回線４０又はインターネット４１を介してメッセージングシステムの中間サーバ２０に送信される。
【００２２】
次に、中間サーバ２０は、クライアントのＰＣ装置５０から受信した送信先情報（電話番号）に基づいて、その送信先の携帯電話機の世代を判断し、メッセージを転送する転送先の配信サーバを特定する。そして、中間サーバ２０は、クライアントのＰＣ装置５０から受信したメッセージを、送信先情報（電話番号）とともに、上記特定した配信サーバ３０、３５に転送する。ここで、送信先の携帯電話機６０が第２世代（第２．５世代を含む）の携帯電話機の場合は、２Ｇ用の配信サーバ３０に転送し、送信先の携帯電話機６０が第３世代の携帯電話機の場合は、３Ｇ用の配信サーバ３５に転送する。また、送信先が複数の携帯電話機の場合は、その複数の送信先の携帯電話機ごとに世代が判断され、所定の配信サーバ３０、３５にメッセージが転送される。
【００２３】
次に、メッセージを受けた配信サーバ３０、３５は、送信先情報（電話番号）で指定された携帯電話機６０に対してメッセージを配信する。送信先が複数の携帯電話機の場合は、各携帯電話機に対して一斉に同報配信される。
【００２４】
上記メッセージの配信を受けた携帯電話機６０は、そのメッセージを受信した旨を示す配信確認レポートを、メッセージを配信してきた配信サーバ３０、３５に対して返信する。配信確認レポートは、配信サーバ３０、３５から中間サーバ２０に転送され、中間サーバ２０内の所定の記憶領域に一旦保存される。
【００２５】
次に、ＰＣ装置５０の利用者（オペレータ）が、上記メッセージの配信結果を確認したいときは、ＰＣ装置５０上のＷＥＢブラウザを操作し、中間サーバ２０に対して配信確認レポートの取得要求（ＨＴＴＰ）を送信する。中間サーバ２０は、上記取得要求に応答する取得応答（ＨＴＴＰ）に配信確認レポートを付加してメッセージ送信元のＰＣ装置５０に送信する。この配信確認レポートにより、メッセージが配信されたことをメッセージ送信元のＰＣ装置５０上で確認できる。
【００２６】
以上、本実施形態によれば、携帯電話通信網１０上の携帯電話機６０の電話番号を宛先とするＳＭＳメッセージングの配信を行う配信サーバ３０、３５と、携帯電話通信網１０の外部にあるＰＣ装置５０との間に、中間サーバ２０が介在するので、ＰＣ装置５０との間でセキュアな環境を構築できる。また、インターネット４１でのメッセージ配信に使用される汎用プロトコル（ＨＴＴＰ，ＳＭＴＰ）を用いてＰＣ装置５０と通信を行っているので、ＰＣ装置５０との通信の汎用性が高まり、ＰＣ装置５０側に専用の通信インターフェースのハードウェアやソフトウェアを用意する必要がなく利便性が向上する。しかも、複数の配信サーバ３０，３５を設けた場合でも、中間サーバ２０によって適切な配信サーバを選択してＰＣ装置５０から受信したメッセージを転送できるようになり、配信サーバ３０，３５に関する拡張性に優れる。以上のように、携帯電話通信網１０の外部にあるＰＣ装置５０との間でセキュアな環境を構築しつつ汎用性を高めて利便性を向上させることでき、しかも携帯電話通信網１０でメッセージ配信を行う配信サーバ３０、３５の拡張性が優れている。
【００２７】
なお、上記実施形態において、ＭＭＳ（マルチメディア・メッセージ・サービス）を配信できるように構成してもよい。この場合は、例えば、上記配信サーバとしてＭＭＳＣ（Multimedia Messaging Service Center）を設けるとともに、ＰＰＧ（Push Proxy Gateway）サーバを設ける。上記ＭＭＳＣは、メッセージボックスが接続され、次のようなマルチメディアメッセージ（以下「ＭＭＳメッセージ」という。）の処理を行う。例えば、ＭＭＳＣは、中間サーバ２０から転送されてきたＭＭＳメッセージを受信すると、そのＭＭＳメッセージをメッセージボックスに一旦保存し、ＰＰＧサーバやＳＭＳＣ等を介して携帯電話機６０にＭＭＳメッセージの着信通知を送信する。そして、ＭＭＳＣは、携帯電話機６０からメッセージ取得要求を受けると、必要に応じて所定のフォーマット変換を行い、携帯電話機６０に送信する。
【００２８】
また、上記実施形態において、中間サーバ２０や配信サーバ３０，３５を介して、企業のオフィスに設置されたＰＣ装置５０から携帯電話機６０の現在位置を確認できるようにしてもよい。この携帯電話機６０の現在位置の位置情報は、いろいろな方法で取得することができる。例えば、携帯電話機６０がその最新の現在位置の位置情報を網側から取得して内部メモリに記憶している場合は、その内部メモリから読み出した現在位置を中間サーバ２０に送信することができる。
【００２９】
図４は、中間サーバ２０が携帯電話機６０の位置情報を取得して保存する場合のシーケンス図である。この場合、ＰＣ装置５０は、携帯電話機６０の現在位置を取得することができる所定のメッセージを、前述と同様に中間サーバ２０を介して携帯電話機６０に送信する。そして、携帯電話機６０から前述の配信確認レポートを返信するときに、その配信確認レポートに現在位置の位置情報を付加して中間サーバ２０に送信する。中間サーバ２０は、携帯電話機６０から受信した位置情報を例えば携帯電話機６０の識別情報と関連付けて保存する。ＰＣ装置５０の利用者は、中間サーバ２０にアクセスすることにより、携帯電話機６０の現在位置を確認することができる。
【００３０】
図５は、全地球測位システム（ＧＰＳ：Global Positioning System）を利用可能な携帯電話機６０を用いた場合のメッセージングシステムの全体構成の一例を示す説明図である。この場合の位置情報は、携帯電話機６０が位置する現在位置を示すＧＰＳ位置情報（緯度、経度、高度）であり、携帯電話機６０がＧＰＳ用の人工衛星８０から受信したＧＰＳ信号に基づいて算出される。この算出されたＧＰＳ位置情報は、携帯電話機６０の内部メモリの所定記憶領域に保存される。このＧＰＳ位置情報は、例えば、配信確認レポートに付加されて中間サーバ２０に送信される。
【００３１】
なお、上記図５の例では、携帯電話機６０の位置情報として、その携帯電話機６０の内部で算出したＧＰＳ位置情報を利用しているが、第３者測位サーバを経由して接続したアシストＧＰＳ（ＡＧＰＳ）のシステムから取得したＧＰＳ位置情報を利用してもよい。この場合、中間サーバ２０は、位置情報を取得したい携帯電話機６０の電話番号など位置情報を取得する際に必要なパラメータを第３者測位サーバに引き渡し、その携帯電話機６０の位置情報の検索結果を第３者測位サーバから受け取る。
【００３２】
図６は、携帯電話機の位置情報を携帯電話通信網１０に設置されている位置情報管理サーバから取得する場合の中間サーバ２０の機能的な構成の一例を示すブロック図である。この場合、中間サーバ２０のＬＤＡＰインターフェース部２０１が、各携帯電話機の位置登録を管理する位置管理サーバ２６と通信し、携帯電話機の位置情報を取得する。この位置管理サーバ２６は、携帯電話機６０が最後に位置登録したときの最新の位置情報が保存されている。この位置管理サーバ２６としては、例えばＨＬＲ（ホーム・ロケーション・レジスタ）を用いることができる。このＨＬＲは、移動機番号（ＭＳＩＳＤＮ：Mobile Station ISDN number definition）に対して、最後に位置登録した位置情報である「ＶＬＲ（Visitor Location Register）アドレス」や交換機の情報などを保存して管理している。
【００３３】
図７は、中間サーバ２０が位置管理サーバ２６から携帯電話機６０の位置情報を取得して保存する場合のシーケンス図である。この場合、ＰＣ装置５０が配信確認レポートを携帯電話機６０から受信すると、ＬＤＡＰインターフェース部２０１は、携帯電話機６０の電話番号（端末識別情報）に基づいて位置情報管理サーバ２６を参照し、その携帯電話機６０の現在位置のＶＬＲアドレスを取得する。そして、中間サーバ２０は、このＶＬＲアドレスに対応する地域名称や地域ＩＤが、該当する携帯電話機６０の現在位置の位置情報として保存する。この位置情報が、ＰＣ装置５０からの要求に応じて送信される。なお、上記ＬＤＡＰインターフェース部２０１による位置情報の取得は、送信対象のメッセージと宛先の電話番号をＰＣ装置５０から受信したときに行ってもよい。
【００３４】
以上、本発明の好ましい実施形態を説明したが、本発明の範囲又は精神から逸脱することなく、特許請求の範囲に記載された技術的事項の範囲内において、開示した実施形態に種々の変更を加えることができる。
【００３５】
例えば、本発明は、携帯電話機に限定することなく、アプリケーションを実行可能な様々な移動体通信端末に適用することができる。すなわち、本発明における「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機、固定電話機等の通話機能を有する電話機が挙げられる。また、この「移動体通信端末」としては、上記電話機のほか、通話機能を有するＰＤＡ（Personal Digital Assistants）等の通信端末も挙げられる。
【図面の簡単な説明】
【００３６】
【図１】本発明の実施形態に係るメッセージングシステムの全体構成の一例を示す説明図。
【図２】中間サーバの機能的な構成の一例を示すブロック図。
【図３】ＰＣ装置から携帯電話機に対してメッセージを配信するときのシーケンス図。
【図４】中間サーバが携帯電話機の位置情報を取得して保存する場合のシーケンス図。
【図５】ＧＰＳを利用可能な携帯電話機を用いた場合のメッセージングシステムの全体構成の一例を示す説明図。
【図６】他の実施形態に係る中間サーバの機能的な構成の一例を示すブロック図。
【図７】中間サーバが位置管理サーバから携帯電話機６０の位置情報を取得して保存する場合のシーケンス図。
【符号の説明】
【００３７】
１０    携帯電話通信網
２０    中間サーバ
２５    加入者情報管理サーバ
２６    位置情報管理サーバ
３０，３５    配信サーバ
４０    専用線
４１    インターネット
５０    ＰＣ装置
６０    携帯電話機
【図１】
2008113142.tif 000003
【図２】
2008113142.tif 000004
【図３】
2008113142.tif 000005
【図４】
2008113142.tif 000006
【図５】
2008113142.tif 000007
【図６】
2008113142.tif 000008
【図７】
2008113142.tif 000009